(57)【要約】【課題】室外空気を室内へ供給して室内空気を室外へ排出する換気装置において、空気の流通経路を切り換えるダンパで結露が生じることを抑制する。【解決手段】換気装置（10）のケーシング（11）には、室内空気が導入される内気導入室（32）と室外空気が導入される外気導入室（34）とに隣接する内外連通室（37,38）が形成されている。換気装置（10）では、内気導入室（32）と内外連通室（37,38）とを連通させる内気流通口（91,92）を開閉する内気側ダンパ（41,42）、又は外気導入室（34）と内外連通室（37,38）とを連通させる外気流通口（93,94）を開閉する外気側ダンパ（43,44）が、そのダンパ（41,42,43,44）の構成部材を加熱する電気ヒータ（30）を備えている。【選択図】図５
2010281522.tif 000002
【特許請求の範囲】
【請求項１】
室内空気が導入される内気導入室（32）と、室外空気が導入される外気導入室（34）と、上記内気導入室（32）と上記外気導入室（34）とに隣接する内外連通室（37,38）とが形成されたケーシング（11）と、
上記内気導入室（32）と上記内外連通室（37,38）とを連通させるための内気流通口（91,92）を開閉する内気側ダンパ（41,42）と、
上記外気導入室（34）と上記内外連通室（37,38）とを連通させるための外気流通口（93,94）を開閉する外気側ダンパ（43,44）とを備え、
上記外気側ダンパ（43,44）を開き且つ上記内気側ダンパ（41,42）を閉じて室外空気を室内へ供給する動作と、上記内気側ダンパ（41,42）を開き且つ上記外気側ダンパ（43,44）を閉じて室内空気を室外へ排出する動作とを行う換気装置であって、
上記内気側ダンパ（41,42）又は上記外気側ダンパ（43,44）は、該ダンパ（41,42,43,44）の構成部材を加熱する電気ヒータ（30）を備えていることを特徴とする換気装置。
【請求項２】
請求項１において、
上記内気側ダンパ（41,42）及び上記外気側ダンパ（43,44）の各々は、開閉する対象の流通口（91,92,93,94）を開放する位置と該流通口（91,92,93,94）を閉塞する位置との間で動かされる可動部材（57,58）を備える一方、
上記内気側ダンパ（41,42）と上記外気側ダンパ（43,44）のうち上記電気ヒータ（30）を備えるダンパ（41,42,43,44）では、上記可動部材（57,58）に上記電気ヒータ（30）が取り付けられていることを特徴とする換気装置。
【請求項３】
請求項１において、
上記内気側ダンパ（41,42）及び上記外気側ダンパ（43,44）の各々は、開閉する対象の流通口（91,92,93,94）の周縁に沿って設けられる枠状部材（56）と、該枠状部材（56）に支持されて、上記流通口（91,92,93,94）を開放する位置と該流通口（91,92,93,94）を閉塞する位置との間で動かされる可動部材（57,58）とを備える一方、
上記内気側ダンパ（41,42）と上記外気側ダンパ（43,44）のうち上記電気ヒータ（30）を備えるダンパ（41,42,43,44）では、上記枠状部材（56）に上記電気ヒータ（30）が取り付けられていることを特徴とする換気装置。
【請求項４】
請求項１において、
上記内気側ダンパ（41,42）及び上記外気側ダンパ（43,44）の各々は、開閉する対象の流通口（91,92,93,94）を開放する位置と該流通口（91,92,93,94）を閉塞する位置との間で動かされる可動部材（57,58）と、該可動部材（57,58）に設けられた軸部材（113）を回転自在に支持する軸受部材（62,63,64,65）とを備え、
上記電気ヒータ（30）は、発熱体（116）と、該発熱体（116）を収容するケース部材とを備える一方、
上記内気側ダンパ（41,42）と上記外気側ダンパ（43,44）のうち上記電気ヒータ（30）を備えるダンパ（41,42,43,44）では、該電気ヒータ（30）のケース部材が上記軸受部材（62,63,64,65）を兼ねていることを特徴とする換気装置。
【請求項５】
請求項１において、
上記内気側ダンパ（41,42）及び上記外気側ダンパ（43,44）の各々は、開閉する対象の流通口（91,92,93,94）を開放する位置と該流通口（91,92,93,94）を閉塞する位置との間で動かされる可動部材（57,58）と、該可動部材（57,58）を駆動する駆動モータ（59）とを備え、該駆動モータ（59）がダンパ（41,42,43,44）の両側の二室のうち一方に配置され、
上記内気側ダンパ（41,42）と上記外気側ダンパ（43,44）のうち上記電気ヒータ（30）を備えるダンパ（41,42,43,44）では、該ダンパ（41,42,43,44）の両側の二室のうち上記駆動モータ（59）が配置されている側に上記電気ヒータ（30）が取り付けられていることを特徴とする換気装置。
【請求項６】
請求項１乃至５の何れか１つにおいて、
上記電気ヒータ（30）は、ＰＴＣヒータにより構成されていることを特徴とする換気装置。
【請求項７】
請求項１乃至６の何れか１つにおいて、
上記ケーシング（11）には、上記内外連通室（37,38）として、第１内外連通室（37）と第２内外連通室（38）とが形成され、
上記内気側ダンパ（41,42）は、上記第１内外連通室（37）と上記内気導入室（32）とを連通させる第１内気流通口（91）と、上記第２内外連通室（38）と上記内気導入室（32）とを連通させる第２内気流通口（92）とにそれぞれ設けられ、
上記外気側ダンパ（43,44）は、上記第１内外連通室（37）と上記外気導入室（34）とを連通させる第１外気流通口（93）と、上記第２内外連通室（38）と上記外気導入室（34）とを連通させる第２外気流通口（94）とにそれぞれ設けられ、
上記第１内外連通室（37）と上記第２内外連通室（38）とには、空気の湿度を調節するための調湿素子（51,52）がそれぞれ設けられ、
上記第１内外連通室（37）を室内空気が流れると同時に上記第２内外連通室（38）を室外空気が流れる状態と、上記第１内外連通室（37）を室外空気が流れると同時に上記第２内外連通室（38）を室内空気が流れる状態とが、上記内気側ダンパ（41,42）及び上記外気側ダンパ（43,44）の開閉制御によって切換可能に構成されていることを特徴とする換気装置。
【発明の詳細な説明】
【技術分野】
【０００１】
本発明は、室外空気を室内へ供給して室内空気を室外へ排出する換気装置に関するものである。
【背景技術】
【０００２】
従来より、室外空気を室内へ供給して室内空気を室外へ排出する換気装置が知られている。例えば特許文献１には、この種の換気装置が記載されている。
【０００３】
具体的に、特許文献１に記載された換気装置は、室内の換気だけでなく、室内の湿度調節も行うように構成されている。この換気装置では、ケーシング内に２つの吸着熱交換器が設けられている。この換気装置では、第１吸着熱交換器で第１空気を除湿して第２吸着熱交換器で第２空気を加湿する動作と、第２吸着熱交換器で第１空気を除湿して第１吸着熱交換器で第２空気を加湿する動作とが交互に行われ、第１空気と第２空気との一方が給気ファンによって室内へ供給され、他方が排気ファンによって室外へ排出される。第１空気及び第２空気の流通経路は、８つのダンパによって切り換えられる。
【先行技術文献】
【特許文献】
【０００４】
【特許文献１】特開２００７−１０２１６号公報
【発明の概要】
【発明が解決しようとする課題】
【０００５】
ところで、従来の換気装置では、換気運転中に、室内空気が通過する内気流通口と、室外空気が通過する外気流通口とが開口する内外連通室が、ケーシング内に形成されている。内気流通口は、内気側ダンパによって開閉される。外気流通口は、外気側ダンパによって開閉される。上記内外連通室では、内気側ダンパが開状態に設定されて外気側ダンパが閉状態に設定されると、内気側ダンパを通って流入した室内空気が室外へ向かって流れる。この状態では、閉状態の外気側ダンパの両側に、室内空気が流れる空間と室外空気が流れる空間とが形成される。また、上記内外連通室では、内気側ダンパが閉状態に設定されて外気側ダンパが開状態に設定されると、外気側ダンパを通って流入した室外空気が室内へ向かって流れる。この状態では、閉状態の内気側ダンパの両側に、室内空気が流れる空間と室外空気が流れる空間とが形成される。
【０００６】
ここで、ダンパでは、閉状態に設定しても、開閉に伴って動かされる可動部材の周囲に、隙間が存在する。このため、室内空気が流れる空間と室外空気が流れる空間とがダンパの両側に形成されると、２つの空間の圧力差により、ダンパの隙間から空気が漏れるおそれがある。そして、例えば冬期に、閉状態の外気側ダンパの隙間から室外空気が漏れると、比較的湿度が高い室内空気が低温の室外空気により冷却され、外気側ダンパの隙間付近で結露が生じるという問題がある。また、例えば夏期に、閉状態の内気側ダンパの隙間から室内空気が漏れると、比較的湿度が高い室外空気が低温の室内空気により冷却され、内気側ダンパの隙間付近で結露が生じるという問題がある。
【０００７】
本発明は、かかる点に鑑みてなされたものであり、その目的は、室外空気を室内へ供給して室内空気を室外へ排出する換気装置において、空気の流通経路を切り換えるダンパで結露が生じることを抑制することにある。
【課題を解決するための手段】
【０００８】
第１の発明は、室内空気が導入される内気導入室（32）と、室外空気が導入される外気導入室（34）と、上記内気導入室（32）と上記外気導入室（34）とに隣接する内外連通室（37,38）とが形成されたケーシング（11）と、上記内気導入室（32）と上記内外連通室（37,38）とを連通させるための内気流通口（91,92）を開閉する内気側ダンパ（41,42）と、上記外気導入室（34）と上記内外連通室（37,38）とを連通させるための外気流通口（93,94）を開閉する外気側ダンパ（43,44）とを備え、上記外気側ダンパ（43,44）を開き且つ上記内気側ダンパ（41,42）を閉じて室外空気を室内へ供給する動作と、上記内気側ダンパ（41,42）を開き且つ上記外気側ダンパ（43,44）を閉じて室内空気を室外へ排出する動作とを行う換気装置（10）を対象とする。そして、この換気装置（10）は、上記内気側ダンパ（41,42）又は上記外気側ダンパ（43,44）が、該ダンパ（41,42,43,44）の構成部材を加熱する電気ヒータ（30）を備えている。
【０００９】
第１の発明では、内気側ダンパ（41,42）を開き且つ外気側ダンパ（43,44）を閉じると、室内空気が内気導入室（32）と内外連通室（37,38）とを流れ、室外空気が外気導入室（34）を流れる。外気側ダンパ（43,44）では、外気導入室（34）側に室外空気が接触し、内外連通室（37,38）側に室内空気が接触する。ここで、外気側ダンパ（43,44）が電気ヒータ（30）を備えている場合は、電気ヒータ（30）によって外気側ダンパ（43,44）を加熱することが可能である。このため、室外空気の温度が低い場合に、外気側ダンパ（43,44）の電気ヒータ（30）を運転させることで、外気側ダンパ（43,44）を昇温させることが可能である。このため、閉状態の外気側ダンパ（43,44）では、空気漏れによって、高湿の室内空気中の水蒸気が低温の室外空気に冷却されて凝結するすることが抑制される。
【００１０】
また、第１の発明では、外気側ダンパ（43,44）を開き且つ内気側ダンパ（41,42）を閉じると、室内空気が内気導入室（32）を流れ、室外空気が外気導入室（34）と内外連通室（37,38）とを流れる。内気側ダンパ（41,42）では、内気導入室（32）側に室内空気が接触し、内外連通室（37,38）側に室外空気が接触する。ここで、内気側ダンパ（41,42）が電気ヒータ（30）を備えている場合は、電気ヒータ（30）によって内気側ダンパ（41,42）を加熱することが可能である。このため、室内空気の温度が低い場合に、内気側ダンパ（41,42）の電気ヒータ（30）を運転させることで、内気側ダンパ（41,42）を昇温させることが可能である。このため、閉状態の内気側ダンパ（41,42）では、空気漏れによって、高湿の室外空気中の水蒸気が低温の室内空気に冷却されて凝結するすることが抑制される。
【００１１】
第２の発明は、上記第１の発明において、上記内気側ダンパ（41,42）及び上記外気側ダンパ（43,44）の各々は、開閉する対象の流通口（91,92,93,94）を開放する位置と該流通口（91,92,93,94）を閉塞する位置との間で動かされる可動部材（57,58）を備える一方、上記内気側ダンパ（41,42）と上記外気側ダンパ（43,44）のうち上記電気ヒータ（30）を備えるダンパ（41,42,43,44）では、上記可動部材（57,58）に上記電気ヒータ（30）が取り付けられている。
【００１２】
第２の発明では、外気側ダンパ（43,44）が電気ヒータ（30）を備えている場合には、外気側ダンパ（43,44）の可動部材（57,58）に電気ヒータ（30）が取り付けられる。内気側ダンパ（41,42）が電気ヒータ（30）を備えている場合には、内気側ダンパ（41,42）の可動部材（57,58）に電気ヒータ（30）が取り付けられる。ここで、ダンパ（41,42,43,44）における空気漏れは、可動部材（57,58）の外周部分の隙間で主に発生する。このため、可動部材（57,58）を加熱しなければ、漏れる空気が接触する可動部材（57,58）では結露が生じやすい。この第２の発明では、ダンパ（41,42,43,44）のうち、結露が生じやすい可動部材（57,58）に電気ヒータ（30）が取り付けられている。
【００１３】
第３の発明は、上記第１の発明において、上記内気側ダンパ（41,42）及び上記外気側ダンパ（43,44）の各々は、開閉する対象の流通口（91,92,93,94）の周縁に沿って設けられる枠状部材（56）と、該枠状部材（56）に支持されて、上記流通口（91,92,93,94）を開放する位置と該流通口（91,92,93,94）を閉塞する位置との間で動かされる可動部材（57,58）とを備える一方、上記内気側ダンパ（41,42）と上記外気側ダンパ（43,44）のうち上記電気ヒータ（30）を備えるダンパ（41,42,43,44）では、上記枠状部材（56）に上記電気ヒータ（30）が取り付けられている。
【００１４】
第３の発明では、外気側ダンパ（43,44）が電気ヒータ（30）を備えている場合には、外気側ダンパ（43,44）の枠状部材（56）に電気ヒータ（30）が取り付けられる。内気側ダンパ（41,42）が電気ヒータ（30）を備えている場合には、内気側ダンパ（41,42）の枠状部材（56）に電気ヒータ（30）が取り付けられる。ここで、ダンパ（41,42,43,44）における空気漏れは、可動部材（57,58）の外周と枠状部材（56）との間の隙間で主に発生する。このため、枠状部材（56）を加熱しなければ、漏れる空気が接触する枠状部材（56）では結露が生じやすい。この第３の発明では、ダンパ（41,42,43,44）のうち、結露が生じやすい枠状部材（56）に電気ヒータ（30）が取り付けられている。
【００１５】
第４の発明は、上記第１の発明において、上記内気側ダンパ（41,42）及び上記外気側ダンパ（43,44）の各々は、開閉する対象の流通口（91,92,93,94）を開放する位置と該流通口（91,92,93,94）を閉塞する位置との間で動かされる可動部材（57,58）と、該可動部材（57,58）に設けられた軸部材（113）を回転自在に支持する軸受部材（62,63,64,65）とを備え、上記電気ヒータ（30）は、発熱体（116）と、該発熱体（116）を収容するケース部材とを備える一方、上記内気側ダンパ（41,42）と上記外気側ダンパ（43,44）のうち上記電気ヒータ（30）を備えるダンパ（41,42,43,44）では、該電気ヒータ（30）のケース部材が上記軸受部材（62,63,64,65）を兼ねている。
【００１６】
第４の発明では、外気側ダンパ（43,44）が電気ヒータ（30）を備えている場合には、外気側ダンパ（43,44）の軸受部材（62,63,64,65）を、軸受部材（62,63,64,65）に収容された発熱体（116）により加熱することが可能である。内気側ダンパ（41,42）が電気ヒータ（30）を備えている場合には、内気側ダンパ（41,42）の軸受部材（62,63,64,65）を、軸受部材（62,63,64,65）に収容された発熱体（116）により加熱することが可能である。ここで、ダンパ（41,42,43,44）では、軸受部材（62,63,64,65）の軸受面と駆動軸（113）の外周面との間の隙間から空気が漏れる。このため、軸受部材（62,63,64,65）の温度が低い場合は、漏れる空気に接触する軸受部材（62,63,64,65）では結露が生じやすい。この第４の発明では、ダンパ（41,42,43,44）のうち、結露が生じやすい軸受部材（62,63,64,65）を電気ヒータ（30）のケース部材として、その内部に設けた発熱体（116）により軸受部材（62,63,64,65）を加熱することができるようにしている。
【００１７】
第５の発明は、上記第１の発明において、上記内気側ダンパ（41,42）及び上記外気側ダンパ（43,44）の各々は、開閉する対象の流通口（91,92,93,94）を開放する位置と該流通口（91,92,93,94）を閉塞する位置との間で動かされる可動部材（57,58）と、該可動部材（57,58）を駆動する駆動モータ（59）とを備え、該駆動モータ（59）がダンパ（41,42,43,44）の両側の二室のうち一方に配置され、上記内気側ダンパ（41,42）と上記外気側ダンパ（43,44）のうち上記電気ヒータ（30）を備えるダンパ（41,42,43,44）では、該ダンパ（41,42,43,44）の両側の二室のうち上記駆動モータ（59）が配置されている側に上記電気ヒータ（30）が取り付けられている。
【００１８】
第５の発明では、外気側ダンパ（43,44）が電気ヒータ（30）を備えている場合に、外気側ダンパ（43,44）の駆動モータ（59）が外気導入室（34）に配置されていれば、外気側ダンパ（43,44）の外気導入室（34）側に電気ヒータ（30）が取り付けられ、駆動モータ（59）が内外連通室（37,38）に配置されていれば、外気側ダンパ（43,44）の内外連通室（37,38）側に電気ヒータ（30）が取り付けられる。また、内気側ダンパ（41,42）が電気ヒータ（30）を備えている場合も同様に、内気側ダンパ（41,42）の駆動モータが配置されている側に、電気ヒータ（30）が取り付けられる。
【００１９】
第６の発明は、上記第１乃至第５の何れか１つの発明において、上記電気ヒータ（30）が、ＰＴＣヒータにより構成されている。
【００２０】
第６の発明では、電気ヒータ（30）が、自己温度制御機能を有するＰＴＣヒータにより構成されている。
【００２１】
第７の発明は、上記第１乃至第６の何れか１つの発明において、上記ケーシング（11）には、上記内外連通室（37,38）として、第１内外連通室（37）と第２内外連通室（38）とが形成され、上記内気側ダンパ（41,42）は、上記第１内外連通室（37）と上記内気導入室（32）とを連通させる第１内気流通口（91）と、上記第２内外連通室（38）と上記内気導入室（32）とを連通させる第２内気流通口（92）とにそれぞれ設けられ、上記外気側ダンパ（43,44）は、上記第１内外連通室（37）と上記外気導入室（34）とを連通させる第１外気流通口（93）と、上記第２内外連通室（38）と上記外気導入室（34）とを連通させる第２外気流通口（94）とにそれぞれ設けられ、上記第１内外連通室（37）と上記第２内外連通室（38）とには、空気の湿度を調節するための調湿素子（51,52）がそれぞれ設けられ、上記第１内外連通室（37）を室内空気が流れると同時に上記第２内外連通室（38）を室外空気が流れる状態と、上記第１内外連通室（37）を室外空気が流れると同時に上記第２内外連通室（38）を室内空気が流れる状態とが、上記内気側ダンパ（41,42）及び上記外気側ダンパ（43,44）の開閉制御によって切換可能に構成されている。
【００２２】
第７の発明では、第１内外連通室（37）を室内空気が流れると同時に第２内外連通室（38）を室外空気が流れる状態と、第１内外連通室（37）を室外空気が流れると同時に第２内外連通室（38）を室内空気が流れる状態とが切換可能に構成されている。前者の状態では、第１内外連通室（37）の調湿素子（51）に室内空気が接触して第２内外連通室（38）の調湿素子（52）に室外空気が接触する。後者の状態では、第１内外連通室（37）の調湿素子（51）に室外空気が接触して第２内外連通室（38）の調湿素子（52）に室内空気が接触する。
【発明の効果】
【００２３】
本発明では、外気側ダンパ（43,44）が電気ヒータ（30）を備えている場合には、電気ヒータ（30）によって外気側ダンパ（43,44）を加熱することで、閉状態の外気側ダンパ（43,44）において、空気漏れによって、高湿の室内空気中の水蒸気が低温の室外空気に冷却されて凝結することが抑制される。この場合、外気側ダンパ（43,44）で結露が生じることを抑制することができる。また、内気側ダンパ（41,42）が電気ヒータ（30）を備えている場合には、電気ヒータ（30）によって内気側ダンパ（41,42）を加熱することで、閉状態の内気側ダンパ（41,42）において、空気漏れによって、高湿の室外空気中の水蒸気が低温の室内空気に冷却されて凝結することが抑制される。この場合、内気側ダンパ（41,42）で結露が生じることを抑制することができる。
【００２４】
また、上記第２の発明では、ダンパ（41,42,43,44）のうち、結露が生じやすい可動部材（57,58）に電気ヒータ（30）が取り付けられている。このため、電気ヒータ（30）を備えるダンパ（41,42,43,44）では、可動部材（57,58）で結露が生じることを抑制することができるので、効果的に結露の発生を抑制することができる。
【００２５】
また、上記第３の発明では、ダンパ（41,42,43,44）のうち、結露が生じやすい枠状部材（56）に電気ヒータ（30）が取り付けられている。このため、電気ヒータ（30）を備えるダンパ（41,42,43,44）では、枠状部材（56）で結露が生じることを抑制することができるので、効果的に結露の発生を抑制することができる。
【００２６】
また、上記第４の発明では、ダンパ（41,42,43,44）のうち、結露が生じやすい軸受部材（62,63,64,65）を電気ヒータ（30）のケース部材として、その内部に設けた発熱体（116）により軸受部材（62,63,64,65）を加熱することができるようにしている。このため、電気ヒータ（30）を備えるダンパ（41,42,43,44）では、軸受部材（62,63,64,65）で結露が生じることを抑制することができる。
【００２７】
また、上記第５の発明では、電気ヒータ（30）が、ダンパ（41,42,43,44）において駆動モータ（59）が配置されている側に取り付けられている。このため、駆動モータ（59）の配線と電気ヒータ（30）の配線とを同じ空間に配設することができる。
【００２８】
また、上記第６の発明では、電気ヒータ（30）が、自己温度制御機能を有するＰＴＣヒータにより構成されている。ここで、自己温度制御機能を有しない電気ヒータ（30）（例えば、鉄-クロム-アルミ系発熱体を用いた電気ヒータ）によってダンパ（41,42,43,44）を加熱する場合は、電気ヒータ（30）の温度が必要以上に高くなりすぎて、ダンパ（41,42,43,44）が燃焼するおそれがある。このため、電気ヒータ（30）の過昇温からダンパ（41,42,43,44）を保護するための保護装置（例えば、電気ヒータ（30）の温度が所定の閾値を超えると電気ヒータ（30）への通電を禁止する温度スイッチ）を設ける必要がある。それに対して、この第６の発明では、電気ヒータ（30）の発熱体のキュリー温度（発熱体の電気抵抗が急激に上昇する温度）を適切に設定すれば、電気ヒータ（30）の温度が必要以上に高くなることがない。従って、上記保護装置を設けることなく、ダンパ（41,42,43,44）で結露が生じることを抑制することができる。
【図面の簡単な説明】
【００２９】
【図１】図１は、前面側から見た換気装置をケーシングの一部を省略して示す斜視図である。
【図２】図２は、換気装置の一部を省略して示す概略の平面図、右側面図、及び左側面図である。
【図３】図３は、冷媒回路の構成を示す配管系統図であって、(Ａ)は第１動作を示すものであり、(Ｂ)は第２動作を示すものである。
【図４】図４は、電気ヒータを省略したダンパの斜視図である。
【図５】図５は、ダンパの正面図である。
【図６】図６は、第２及び第３電気ヒータを省略した、上側羽根部材及び第１電気ヒータの横断面図である。
【図７】図７は、軸受部材の横断面図である。
【図８】図８は、電気ヒータに対する電気配線図である。
【図９】図９は、除湿換気運転の第１動作における空気の流れを示す換気装置の概略の平面図、右側面図、及び左側面図である。
【図１０】図１０は、除湿換気運転の第２動作における空気の流れを示す換気装置の概略の平面図、右側面図、及び左側面図である。
【図１１】図１１は、加湿換気運転の第１動作における空気の流れを示す換気装置の概略の平面図、右側面図、及び左側面図である。
【図１２】図１２は、加湿換気運転の第２動作における空気の流れを示す換気装置の概略の平面図、右側面図、及び左側面図である。
【図１３】図１３は、その他の実施形態のダンパの正面図である。
【発明を実施するための形態】
【００３０】
以下、本発明の実施形態を図面に基づいて詳細に説明する。
【００３１】
本実施形態は、本発明に係る換気装置（10）の一例である。本実施形態の換気装置（10）は、室内の換気に加えて、室内の湿度調節も行うように構成されている。
【００３２】
〈換気装置の構成〉
まず、換気装置（10）の全体構成について図１及び図２を参照しながら説明する。換気装置（10）は、ケーシング（11）を備えている。また、ケーシング（11）内には、図３に示す冷媒回路（50）が収容されている。この冷媒回路（50）には、第１吸着熱交換器（51）、第２吸着熱交換器（52）、圧縮機（53）、四方切換弁（54）、及び電動膨張弁（55）が接続されている。冷媒回路（50）の詳細は後述する。
【００３３】
ケーシング（11）は、やや扁平で高さが比較的低い直方体状に形成されている。図１に示すケーシング（11）では、左手前の側面（即ち、前面）が前面パネル部（12）となり、右奥の側面（即ち、背面）が背面パネル部（13）となり、右手前の側面が第１側面パネル部（14）となり、左奥の側面が第２側面パネル部（15）となっている。
【００３４】
ケーシング（11）には、外気吸込口（24）と、内気吸込口（23）と、給気口（22）と、排気口（21）とが形成されている。外気吸込口（24）及び内気吸込口（23）は、背面パネル部（13）に開口している。外気吸込口（24）は、背面パネル部（13）の下側部分に配置されている。内気吸込口（23）は、背面パネル部（13）の上側部分に配置されている。給気口（22）は、第１側面パネル部（14）における前面パネル部（12）側の端部付近に配置されている。排気口（21）は、第２側面パネル部（15）における前面パネル部（12）側の端部付近に配置されている。
【００３５】
ケーシング（11）の内部空間には、上流側仕切板（71）と、下流側仕切板（72）と、中央仕切板（73）と、第１仕切板（74）と、第２仕切板（75）とが設けられている。これらの仕切板（71〜75）は、何れもケーシング（11）の底板に立設されており、ケーシング（11）の内部空間をケーシング（11）の底板から天板に亘って区画している。
【００３６】
上流側仕切板（71）及び下流側仕切板（72）は、前面パネル部（12）及び背面パネル部（13）と平行な姿勢で、ケーシング（11）の前後方向に所定の間隔をおいて配置されている。上流側仕切板（71）は、背面パネル部（13）寄りに配置されている。下流側仕切板（72）は、前面パネル部（12）寄りに配置されている。
【００３７】
第１仕切板（74）及び第２仕切板（75）は、第１側面パネル部（14）及び第２側面パネル部（15）と平行な姿勢で設置されている。第１仕切板（74）は、上流側仕切板（71）と下流側仕切板（72）の間の空間を右側から塞ぐように、第１側面パネル部（14）から所定の間隔をおいて配置されている。第２仕切板（75）は、上流側仕切板（71）と下流側仕切板（72）の間の空間を左側から塞ぐように、第２側面パネル部（15）から所定の間隔をおいて配置されている。
【００３８】
中央仕切板（73）は、上流側仕切板（71）及び下流側仕切板（72）と直交する姿勢で、上流側仕切板（71）と下流側仕切板（72）の間に配置されている。中央仕切板（73）は、上流側仕切板（71）から下流側仕切板（72）に亘って設けられ、上流側仕切板（71）と下流側仕切板（72）の間の空間を左右に区画している。
【００３９】
ケーシング（11）内において、上流側仕切板（71）と背面パネル部（13）の間の空間は、上下２つの空間に仕切られており、上側の空間が内気側通路（32）を構成し、下側の空間が外気側通路（34）を構成している。内気側通路（32）は内気吸込口（23）と連通し、外気側通路（34）は外気吸込口（24）に連通している。内気側通路（32）には、内気側フィルタ（27）が設置されている。外気側通路（34）には、外気側フィルタ（28）が設置されている。内気側通路（32）は、室内空気が導入される内気導入室（32）を構成し、外気側通路（34）は、室外空気が導入される外気導入室（34）を構成している。
【００４０】
ケーシング（11）内における上流側仕切板（71）と下流側仕切板（72）の間の空間は、中央仕切板（73）によって左右に区画されており、中央仕切板（73）の右側の空間が第１熱交換器室（37）を構成し、中央仕切板（73）の左側の空間が第２熱交換器室（38）を構成している。第１熱交換器室（37）には、第１吸着熱交換器（51）が収容されている。第２熱交換器室（38）には、第２吸着熱交換器（52）が収容されている。また、図示しないが、第１熱交換器室（37）には、冷媒回路（50）の電動膨張弁（55）が収容されている。
【００４１】
第１熱交換器室（37）及び第２熱交換器室（38）は、共に、内気側通路（32）と外気側通路（34）とに隣接している。第１熱交換器室（37）は第１内外連通室（37）を構成し、第２熱交換器室（38）は第２内外連通室（38）を構成している。ケーシング（11）には、２つの内外連通室（37,38）が形成されている。
【００４２】
各吸着熱交換器（51,52）は、いわゆるクロスフィン型のフィン・アンド・チューブ熱交換器の表面に吸着剤を担持させたものである。各吸着熱交換器（51,52）は、長方形板状に形成された多数の伝熱フィン（61）と、この伝熱フィン（61）を貫通する銅製の伝熱管とを備えている。各吸着熱交換器（51,52）は、全体として長方形の厚板状あるいは扁平な直方体状に形成されている。各吸着熱交換器（51,52）は、その前面及び背面が上流側仕切板（71）及び下流側仕切板（72）と平行になる姿勢で、熱交換器室（37,38）内に立設されている。吸着熱交換器（51,52）は、空気の湿度を調節するための調湿素子（51,52）を構成している。なお、吸着剤としては、ゼオライト、シリカゲル、有機高分子系収着剤などを用いることができる。
【００４３】
ケーシング（11）の内部空間において、下流側仕切板（72）の前面に沿った空間は、上下に仕切られており、この上下に仕切られた空間のうち、上側の部分が給気側通路（31）を構成し、下側の部分が排気側通路（33）を構成している。
【００４４】
上流側仕切板（71）には、４つの流通口（91〜94）が形成され、それぞれの流通口（91〜94）に対して開閉式のダンパ（41〜44）が設けられている。各ダンパ（41〜44）は、概ね横長の長方形状に形成されている。
【００４５】
具体的に、上流側仕切板（71）のうち内気側通路（32）に面する部分（上側部分）では、中央仕切板（73）よりも右側に第１内気流通口（91）が形成され、中央仕切板（73）よりも左側に第２内気流通口（92）が形成されている。上流側仕切板（71）の上側部分には、第１内気流通口（91）を開閉する第１内気側ダンパ（41）と、第２内気流通口（92）を開閉する第２内気側ダンパ（42）とが取り付けられている。また、上流側仕切板（71）のうち外気側通路（34）に面する部分（下側部分）では、中央仕切板（73）よりも右側に第１外気流通口（93）が形成され、中央仕切板（73）よりも左側に第２外気流通口（94）が形成されている。上流側仕切板（71）の下側部分には、第１外気流通口（93）を開閉する第１外気側ダンパ（43）と、第２外気流通口（94）を開閉する第２外気側ダンパ（44）とが取り付けられている。なお、各ダンパ（41〜44）の構造についての説明は後述する。
【００４６】
下流側仕切板（72）には、４つの流通口（95〜98）が形成され、それぞれの流通口（95〜98）に対して開閉式のダンパ（45〜48）が設けられている。各ダンパ（45〜48）は、概ね横長の長方形状に形成されている。
【００４７】
具体的に、下流側仕切板（72）のうち給気側通路（31）に面する部分（上側部分）では、中央仕切板（73）よりも右側に第１給気流通口（95）が形成され、中央仕切板（73）よりも左側に第２給気流通口（96）が形成されている。下流側仕切板（72）の上側部分には、第１給気流通口（95）を開閉する第１給気側ダンパ（45）と、第２給気流通口（96）を開閉する第２給気側ダンパ（46）とが取り付けられている。また、下流側仕切板（72）のうち排気側通路（33）に面する部分（下側部分）では、中央仕切板（73）よりも右側に第１排気流通口（97）が形成され、中央仕切板（73）よりも左側に第２排気流通口（98）が形成されている。下流側仕切板（72）の下側部分には、第１排気流通口（97）を開閉する第１排気側ダンパ（47）と、第２排気流通口（98）を開閉する第２排気側ダンパ（48）とが取り付けられている。なお、各ダンパ（45〜48）の構造についての説明は後述する。
【００４８】
ケーシング（11）内において、給気側通路（31）及び排気側通路（33）と前面パネル部（12）との間の空間は、仕切板（77）によって左右に仕切られており、仕切板（77）の右側の空間が給気ファン室（36）を構成し、仕切板（77）の左側の空間が排気ファン室（35）を構成している。
【００４９】
給気ファン室（36）には、給気ファン（26）が収容されている。また、排気ファン室（35）には排気ファン（25）が収容されている。給気ファン（26）及び排気ファン（25）は、何れも遠心型の多翼ファン（いわゆるシロッコファン）である。給気ファン（26）は、下流側仕切板（72）側から吸い込んだ空気を給気口（22）へ吹き出す。排気ファン（25）は、下流側仕切板（72）側から吸い込んだ空気を排気口（21）へ吹き出す。また、給気ファン（26）及び排気ファン（25）は、インバータ制御によってモータの回転数が可変となり、風量が変更可能に構成されている。
【００５０】
給気ファン室（36）には、冷媒回路（50）の圧縮機（53）と四方切換弁（54）とが収容されている。圧縮機（53）及び四方切換弁（54）は、給気ファン室（36）における給気ファン（26）と仕切板（77）との間に配置されている。
【００５１】
ケーシング（11）内において、第１仕切板（74）と第１側面パネル部（14）の間の空間は、第１バイパス通路（81）を構成している。第１バイパス通路（81）の始端は、外気側通路（34）だけに連通しており、内気側通路（32）からは遮断されている。第１バイパス通路（81）の終端は、仕切板（78）によって、給気側通路（31）、排気側通路（33）、及び給気ファン室（36）から区画されている。仕切板（78）のうち給気ファン室（36）に臨む部分には、第１バイパス用流通口（99）が形成され、該第１バイパス用流通口（99）を開閉する第１バイパス用ダンパ（83）が設けられている。
【００５２】
ケーシング（11）内において、第２仕切板（75）と第２側面パネル部（15）の間の空間は、第２バイパス通路（82）を構成している。第２バイパス通路（82）の始端は、内気側通路（32）だけに連通しており、外気側通路（34）からは遮断されている。第２バイパス通路（82）の終端は、仕切板（79）によって、給気側通路（31）、排気側通路（33）、及び排気ファン室（35）から区画されている。仕切板（79）のうち排気ファン室（35）に臨む部分には、第２バイパス用流通口（100）が形成され、該第２バイパス用流通口（100）を開閉する第２バイパス用ダンパ（84）が設けられている。
【００５３】
なお、図２の右側面図及び左側面図では、第１バイパス通路（81）、第２バイパス通路（82）、第１バイパス用ダンパ（83）、及び第２バイパス用ダンパ（84）の図示を省略している。
【００５４】
〈冷媒回路の構成〉
図３に示すように、冷媒回路（50）は、第１吸着熱交換器（51）、第２吸着熱交換器（52）、圧縮機（53）、四方切換弁（54）、及び電動膨張弁（55）が設けられた閉回路である。この冷媒回路（50）は、充填された冷媒を循環させることによって、蒸気圧縮冷凍サイクルを行う。
【００５５】
冷媒回路（50）において、圧縮機（53）は、その吐出側が四方切換弁（54）の第１のポートに、その吸入側が四方切換弁（54）の第２のポートにそれぞれ接続されている。また、冷媒回路（50）では、第１吸着熱交換器（51）と電動膨張弁（55）と第２吸着熱交換器（52）とが、四方切換弁（54）の第３のポートから第４のポートへ向かって順に接続されている。
【００５６】
四方切換弁（54）は、第１のポートと第３のポートが連通して第２のポートと第４のポートが連通する第１状態（図３(Ａ)に示す状態）と、第１のポートと第４のポートが連通して第２のポートと第３のポートが連通する第２状態（図３(Ｂ)に示す状態）とに切り換え可能となっている。このような四方切換弁（54）の設定の切り換えに応じて、冷媒回路（50）での冷媒の循環方向が反転する。そして、冷媒回路（50）では、四方切換弁（54）の切り換えに応じて、第１吸着熱交換器（51）を高圧冷媒が流れて第２吸着熱交換器（52）を低圧冷媒が流れる動作と、第１吸着熱交換器（51）を低圧冷媒が流れて第２吸着熱交換器（52）を高圧冷媒が流れる動作とが交互に行われる。
【００５７】
〈ダンパの構造〉
上流側仕切板（71）又は下流側仕切板（72）に設けられたダンパ（41〜48）の構造について、第１内気側ダンパ（41）を例に説明する。他のダンパ（42〜48）については、第１内気側ダンパ（41）と同じ構造であるため、説明は省略する。
【００５８】
図４及び図５に示すように、第１内気側ダンパ（41）は、多翼式ダンパにより構成されている。第１内気側ダンパ（41）は、開閉する対象の第１内気流通口（91）に嵌め込まれる枠状部材（56）と、第１内気流通口（91）を開放する状態と該第１内気流通口（91）を閉塞する状態との間で動かされる羽根部材（57,58）と、該羽根部材（57,58）に設けられた軸部材（113）と、該軸部材（113）を回転自在に支持する軸受部材（62〜65）とを備えている。第１内気側ダンパ（41）は、羽根部材（57,58）を２枚備え、軸受部材（62〜65）を４つ備えている。
【００５９】
枠状部材（56）は、矩形の第１内気流通口（91）に対応した略矩形枠状に形成されている。枠状部材（56）は、棒状に形成された第１長手部（101）及び第２長手部（102）と、板状に形成された第１短手部（103）及び第２短手部（104）とを備えている。第１長手部（101）の一端は、第１短手部（103）の下端にネジ止めされ、第１長手部（101）の他端は、第２短手部（104）の下端にネジ止めされている。一方、第２長手部（102）の一端は、第１短手部（103）の上端にネジ止めされ、第２長手部（102）の他端は、第２短手部（104）の上端にネジ止めされている。
【００６０】
第１短手部（103）及び第２短手部（104）は、略六角形状に形成されている。第１短手部（103）の外面及び第２短手部（104）の外面には、図６に示すように、長方形状の突出板（105,106）がそれぞれ立設されている。各短手部（103,104）では、図６において短手部（103,104）の下側に、突出板（105,106）が設けられている。第１内気側ダンパ（41）は、両突出板（105,106）でネジ止めすることによって、上流側仕切板（71）に取り付けられている。
【００６１】
また、第１短手部（103）及び第２短手部（104）には、軸受部材（62,63）が嵌め込まれる貫通孔が２つずつ形成されている。第１短手部（103）及び第２短手部（104）では、２つの貫通孔が上下に並んでいる。第１短手部（103）及び第２短手部（104）では、上側の貫通孔が、枠状部材（56）の開口の真ん中の高さと該開口の上端の高さとのほぼ中間に形成され、下側の貫通孔が、枠状部材（56）の開口の真ん中の高さと該開口の下端の高さとのほぼ中間に形成されている。
【００６２】
４つの軸受部材（62〜65）は、図５に示すように、第１上側軸受部材（62）と第１下側軸受部材（63）と第２上側軸受部材（64）と第２下側軸受部材（65）とにより構成されている。第１上側軸受部材（62）は、第１短手部（103）の上側の貫通孔に嵌め込まれている。第１下側軸受部材（63）は、第１短手部（103）の下側の貫通孔に嵌め込まれている。第２上側軸受部材（64）は、第２短手部（104）の上側の貫通孔に嵌め込まれている。第２下側軸受部材（65）は、第２短手部（104）の下側の貫通孔に嵌め込まれている。
【００６３】
４つの軸受部材（62〜65）の外形は、全て円筒状である。第１上側軸受部材（62）と第１下側軸受部材（63）は、同じ形状で同じ大きさである。第２上側軸受部材（64）と第２下側軸受部材（65）は、同じ形状で同じ大きさである。第２上側軸受部材（64）と第２下側軸受部材（65）は、第１上側軸受部材（62）と第１下側軸受部材（63）と内径及び外径が同じであるが、第１上側軸受部材（62）と第１下側軸受部材（63）よりも軸方向の長さが短くなっている。
【００６４】
２枚の羽根部材（57,58）は、上側羽根部材（57）と下側羽根部材（58）により構成されている。各羽根部材（57,58）は、枠状部材（56）に可動に支持された可動部材（57,58）を構成している。各羽根部材（57,58）は、略長方形で板状の本体部（110）と、該本体部（110）の外周のうち両方の短辺にそれぞれ立設された板状の取付部（111,112）とを備えている。各羽根部材（57,58）では、両方の短辺の取付部（111,112）が、本体部（110）から同じ側に突出している。
【００６５】
上側羽根部材（57）では、本体部（110）の下端部が、取付部（111,112）が突出する側へ折り曲げられ、本体部（110）の上端部が、取付部（111,112）が突出する側とは反対側へ折り曲げられている。また、下側羽根部材（58）では、本体部（110）の上端部が、取付部（111,112）が突出する側へ折り曲げられ、本体部（110）の下端部が、取付部（111,112）が突出する側とは反対側へ折り曲げられている。このように本体部（110）の上端部と下端部を折り曲げることによって、本体部（110）の上側及び下側にできる隙間において、空気の流路を長くして、空気が漏れにくくなるようにしている。
【００６６】
各取付部（111,112）は、略四角形状に形成されている。各取付部（111,112）は、ネジによって本体部（110）に固定されている。図４及び図６に示すように、各取付部（111,112）では、本体部（110）から最も離れた部分に、円柱状の軸部材（113）が設けられている。各羽根部材（57,58）には、軸部材（113）が２本ずつ設けられている。各取付部（111,112）では、その外側面から軸部材（113）が突出している。
【００６７】
上側羽根部材（57）では、２本の軸部材（113）のうち一方が第１上側軸受部材（62）に回転自在に支持され、他方が第２上側軸受部材（64）に回転自在に支持されている。第１上側軸受部材（62）に支持される軸部材（113）には、後述する駆動ギアに噛み合わされた従動ギアが設けられている。一方、下側羽根部材（58）では、２本の軸部材（113）のうち一方が第１下側軸受部材（63）に回転自在に支持され、他方が第２下側軸受部材（65）に回転自在に支持されている。第１下側軸受部材（63）に支持される軸部材（113）には、後述する駆動ギアに噛み合わされた従動ギアが設けられている。
【００６８】
また、第１内気側ダンパ（41）は、各羽根部材（57,58）を駆動させる駆動モータ（59）を備えている。駆動モータ（59）の回転軸には駆動ギアが設けられている。駆動ギアは、各羽根部材（57,58）の軸部材（113）の従動ギアに噛み合わされている。
【００６９】
なお、第１内気側ダンパ（41）及び第２内気側ダンパ（42）では、駆動モータ（59）が内気側通路（32）に配置されている。第１外気側ダンパ（43）及び第２外気側ダンパ（44）では、駆動モータ（59）が外気側通路（34）に配置されている。
【００７０】
以上の構成により、第１内気側ダンパ（41）では、各羽根部材（57,58）が軸部材（113）の軸心を中心に回転自在に、枠状部材（56）に支持されている。そして、駆動モータ（59）に通電すると、駆動モータ（59）の動力が、駆動ギア及び従動ギアを介して各羽根部材（57,58）に伝達される。その結果、各羽根部材（57,58）が回転駆動される。
【００７１】
〈電気ヒータの構造〉
本実施形態では、上流側仕切板（71）に設けられた４つのダンパ（41〜44）の各々は、電気ヒータ（30）を備えたヒータ付きダンパにより構成されている。電気ヒータ（30）は、各羽根部材（57,58）と枠状部材（56）とにそれぞれ取り付けられている。また、これらの４つのダンパ（41〜44）では、各軸受部材（62〜65）が後述する軸受用発熱体（116）及び絶縁層（17）と共に電気ヒータを構成している。
【００７２】
以下では、各羽根部材（57,58）と枠状部材（56）に取り付けられた電気ヒータ（30）の構造について、図５及び図６を参照して説明する。また、各軸受部材（62〜65）の構造について、図７を参照して説明する。なお、図４では電気ヒータ（30）の図示は省略している。また、図６では後述する第３電気ヒータ（30c）の図示は省略している。
【００７３】
上流側仕切板（71）に設けられた各ダンパ（41〜44）では、上側羽根部材（57）に取り付けられた電気ヒータ（30）が第１電気ヒータ（30a）を構成し、下側羽根部材（58）に取り付けられた電気ヒータ（30）が第２電気ヒータ（30b）を構成し、枠状部材（56）に取り付けられた電気ヒータ（30）が第３電気ヒータ（30c）が構成している。
【００７４】
ここで、電気ヒータ（30）の断面構造について第１電気ヒータ（30a）を例に説明する。第１電気ヒータ（30a）は、いわゆるＰＴＣ（Positive Temperature Coefficient）ヒータにより構成されている。図６に示すように、第１電気ヒータ（30a）は、発熱体（16）と、絶縁層（17）と、金属シース（18）とを備えている。第１電気ヒータ（30a）は、シースタイプの電気ヒータである。
【００７５】
発熱体（16）は、ＰＴＣ特性を有している。本実施形態では、発熱体（16）のキュリー温度が例えば５０℃になるように、発熱体（16）の材質が決定されている。このため、発熱体（16）の温度が５０℃になると電気抵抗が急激に増大し、発熱体（16）の温度は５０℃からほとんど上昇しない。なお、発熱体（16）としては、キュリー温度が６５℃以下のものを使用する。
【００７６】
絶縁層（17）は、発熱体（16）と金属シース（18）とを絶縁するためのものである。絶縁層（17）は、発熱体（16）と金属シース（18）との間に、熱伝導性の高く電気絶縁性が高い絶縁物（例えば、酸化マグネシウム）を充填することによって構成されている。
【００７７】
金属シース（18）は、発熱体（16）を収容している。金属シース（18）には、発熱体（16）に接続する２本の電線が挿通されている。なお、金属シース（18）は、第１及び第２電気ヒータ（30a,30b）では、例えば、扁平な中空箱状に形成され、第３電気ヒータ（30c）では、例えば、矩形管状又は円管状に形成されている。
【００７８】
図５に示すように、第１電気ヒータ（30a）は、本体部（110）のうち、折り曲げられた上端部及び下端部を除く平坦領域に取り付けられている。第１電気ヒータ（30a）の面積は上記平坦領域よりも僅かに小さく、第１電気ヒータ（30a）は本体部（110）の平坦領域の縁部を除く領域を覆っている。なお、図示は省略するが、下側羽根部材（58）についても、上側羽根部材（57）と同様に、第２電気ヒータ（30b）が設けられている。また、枠状部材（56）では、図５に示すように、第３電気ヒータ（30c）が全周囲に取り付けられている。第３電気ヒータ（30c）の発熱体（16）は、枠状部材（56）の全周囲に接触している。
【００７９】
各内気側ダンパ（41,42）では、内気側通路（32）側（図６において上側）に、全ての電気ヒータ（30a,30b,30c）が取り付けられている。各電気ヒータ（30a,30b,30c）は、内気側ダンパ（41,42）のうち駆動モータ（59）が配置されている側に取り付けられている。また、各外気側ダンパ（43,44）では、外気側通路（34）側に、全ての電気ヒータ（30a,30b,30c）が取り付けられている。各電気ヒータ（30a,30b,30c）は、外気側ダンパ（43,44）のうち駆動モータ（59）が配置されている側に取り付けられている。
【００８０】
続いて、軸受部材（62〜65）の構造について説明する。
【００８１】
図７に示すように、軸受部材（62〜65）は、二重円筒状の金属シース（ケース部材）により構成されている。軸受部材（62〜65）は、内筒部（114）と外筒部（115）とを備えている。内筒部（114）と外筒部（115）は、同心に配置されている。軸受部材（62〜65）では、内筒部（114）の内面が軸部材（113）の軸受面を構成している。軸受部材（62〜65）における軸方向の両端は、内筒部（114）と外筒部（115）との間が円環状の閉塞部材により閉塞されている（図示省略）。
【００８２】
軸受部材（62〜65）には、ＰＴＣ特性を有する発熱体（116）（以下、軸受用発熱体（116）という。）が収容されている。軸受用発熱体（116）としては、キュリー温度が６５℃以下（例えば５０℃）のものが用いられている。軸受用発熱体（116）は、略円筒状に形成され、内筒部（114）と外筒部（115）との間に配置されている。軸受部材（62〜65）内では、軸受用発熱体（116）が軸受部材（62〜65）に接触しないように、軸受用発熱体（116）と内筒部（114）との間と、軸受用発熱体（116）と外筒部（115）との間に、熱伝導性の高く電気絶縁性が高い絶縁物（例えば、酸化マグネシウム）により構成された絶縁層（117）が形成されている。軸受用発熱体（116）には、軸受部材（62〜65）に挿通された電線が２本接続されている。
【００８３】
なお、内気側ダンパ（41,42）及び外気側ダンパ（43,44）のうち外気側ダンパ（43,44）の方が結露が生じやすい設置環境であれば、内気側ダンパ（41,42）及び外気側ダンパ（43,44）のうち外気側ダンパ（43,44）だけを、電気ヒータ（30）を備えるヒータ付きダンパにより構成すればよい。また、内気側ダンパ（41,42）及び外気側ダンパ（43,44）のうち内気側ダンパ（41,42）の方が結露が生じやすい設置環境であれば、内気側ダンパ（41,42）及び外気側ダンパ（43,44）のうち内気側ダンパ（41,42）だけを、電気ヒータ（30）を備えるヒータ付きダンパにより構成すればよい。
【００８４】
また、各ダンパ（41〜44）について、各羽根部材（57,58）だけに電気ヒータ（30）を取り付けてもよいし、枠状部材（56）だけに電気ヒータ（30）を取り付けてもよい。
【００８５】
〈電気ヒータの制御〉
電気ヒータ（30）の制御について説明する。
【００８６】
図８に示すように、換気装置（10）は、電気ヒータ（30）を制御する制御部（119）と、内気用スイッチ部（120）と外気用スイッチ部（121）とが設けられた電力供給回路（130）とを備えている。
【００８７】
制御部（119）は、マイクロコンピュータにより構成されている。制御部（119）は、各スイッチ部（120,121）に接続されている。制御部（119）は、各スイッチ部（120,121）をＯＮ／ＯＦＦする。
【００８８】
図８に示すように、電力供給回路（130）には、電源（126）が接続されている。電源（126）の第１の接続端子は、内気用スイッチ部（120）と外気用スイッチ部（121）に対して分岐し、それぞれが対応するスイッチ部（120,121）の第１の接続端子に電気的に接続されている。また、電源（126）の第２の接続端子は、第１内気側ダンパ（41）、第２内気側ダンパ（42）、第１外気側ダンパ（43）及び第２外気側ダンパ（44）の全ての電気ヒータ（30）の発熱体（16）及び全ての軸受用発熱体（116）に対して分岐し、それぞれが対応する発熱体（16,116）の第１の接続端子に電気的に接続されている。また、内気用スイッチ部（120）の第２の接続端子は、第１内気側ダンパ（41）及び第２内気側ダンパ（42）の全ての電気ヒータ（30）の発熱体（16）及び全ての軸受用発熱体（116）に対して分岐し、それぞれが対応する発熱体（16,116）に電気的に接続されている。また、外気用スイッチ部（121）の第２の接続端子は、第１外気側ダンパ（43）及び第２外気側ダンパ（44）の全ての電気ヒータ（30）の発熱体（16）及び全ての軸受用発熱体（116）に対して分岐し、それぞれが対応する発熱体（16,116）に電気的に接続されている。なお、図８では、第２内気側ダンパ（42）及び第２外気側ダンパ（44）の電気ヒータ（30）の記載は省略している。
【００８９】
以上の配線によって、内気用スイッチ部（120）がＯＮに設定されると、各内気側ダンパ（41,42）の全ての電気ヒータ（30a,30b,30c）の発熱体（16）及び全ての軸受用発熱体（116）に電力が供給されて、各発熱体（16,116）が発熱する。また、外気用スイッチ部（121）がＯＮに設定されると、各外気側ダンパ（43,44）の全ての電気ヒータ（30a,30b,30c）の発熱体（16）及び全ての軸受用発熱体（116）に電力が供給されて、各発熱体（16,116）が発熱する。
【００９０】
また、内気側通路（32）には、内気温度センサ（122）及び内気湿度センサ（123）が設けられている。内気温度センサ（122）の出力及び内気湿度センサ（123）の出力は、制御部（119）に入力される。また、外気側通路（34）には、外気温度センサ（124）及び外気湿度センサ（125）が設けられている。外気温度センサ（124）の出力及び外気湿度センサ（125）の出力は、制御部（119）に入力される。
【００９１】
制御部（119）は、室外空気の温度が所定の外気判定値以下になる場合に、外気用スイッチ部（121）にＯＮ指令を出力する。また、制御部（119）は、室外空気の温度が外気判定値よりも高くなる場合に、外気用スイッチ部（121）にＯＦＦ指令を出力する。室外空気の温度は、外気温度センサ（124）より検出される。本実施形態では、室外空気の温度が外気判定値以下になる場合に、各外気側ダンパ（43,44）において、上側羽根部材（57）が第１電気ヒータ（30a）により加熱され、下側羽根部材（58）が第２電気ヒータ（30b）により加熱され、枠状部材（56）が第３電気ヒータ（30c）により加熱され、各軸受部材（62〜65）が軸受用発熱体（116）により加熱される。
【００９２】
また、制御部（119）は、室内空気の温度が所定の内気判定値以下になる場合に、内気用スイッチ部（120）にＯＮ指令を出力する。制御部（119）は、室内空気の温度が内気判定値よりも高くなる場合に、内気用スイッチ部（120）にＯＦＦ指令を出力する。室内空気の温度は、内気温度センサ（122）により検出される。本実施形態では、室内空気の温度が内気判定値以下になる場合に、各内気側ダンパ（41,42）において、上側羽根部材（57）が第１電気ヒータ（30a）により加熱され、下側羽根部材（58）が第２電気ヒータ（30b）により加熱され、枠状部材（56）が第３電気ヒータ（30c）により加熱され、各軸受部材（62〜65）が軸受用発熱体（116）により加熱される。
【００９３】
−運転動作−
換気装置（10）の運転動作について説明する。換気装置（10）は、除湿換気運転と加湿換気運転と外気冷房運転とを選択的に行う。
【００９４】
除湿換気運転中や加湿換気運転中の換気装置（10）は、取り込んだ室外空気（OA）を湿度調節してから供給空気（SA）として室内へ供給すると同時に、取り込んだ室内空気（RA）を排出空気（EA）として室外へ排出する。一方、外気冷房運転中の換気装置（10）は、取り込んだ室外空気（OA）をそのまま供給空気（SA）として室内へ供給すると同時に、取り込んだ室内空気（RA）をそのまま排出空気（EA）として室外へ排出する。
【００９５】
また、除湿換気運転や加湿換気運転では、上記の各センサで検出した外気温度、内気温度、外気湿度、内気湿度に基づいて、換気装置（10）の調湿能力が調節される。なお、本実施形態では、これらの外気温湿度、及び内気温湿度に基づいて冷媒回路（50）の圧縮機（53）の運転周波数が調節される。これにより、冷媒回路（50）での冷媒循環量が調節され、吸着熱交換器（51,52）の吸着能力や再生能力が変更される。
【００９６】
〈除湿換気運転〉
除湿換気運転中の換気装置（10）では、後述する第１動作と第２動作が所定の時間間隔（３分間隔）で交互に繰り返される。つまり、除湿換気運転での２つの動作の１回毎の動作時間Δｔは３分に設定されている。この除湿換気運転中において、第１バイパス用ダンパ（83）及び第２バイパス用ダンパ（84）は、常に閉状態となる。
【００９７】
除湿換気運転中の換気装置（10）では、室外空気が外気吸込口（24）からケーシング（11）内へ第１空気として取り込まれ、室内空気が内気吸込口（23）からケーシング（11）内へ第２空気として取り込まれる。
【００９８】
先ず、除湿換気運転の第１動作（除湿第１動作）について説明する。図９に示すように、この第１動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第１動作中の冷媒回路（50）では、四方切換弁（54）が第１状態に設定され、第１吸着熱交換器（51）が凝縮器となって第２吸着熱交換器（52）が蒸発器となる。
【００９９】
外気吸込口（24）から外気側通路（34）へ導入された第１空気は、第２外気側ダンパ（44）を通って第２熱交換器室（38）へ流入し、第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で除湿された第１空気は、第２給気側ダンパ（46）を通って給気側通路（31）へ流入し、給気口（22）を通って給気ファン室（36）から室内へ供給される。
【０１００】
一方、内気吸込口（23）から内気側通路（32）へ導入された第２空気は、第１内気側ダンパ（41）を通って第１熱交換器室（37）へ流入し、第１吸着熱交換器（51）を通過する。第１吸着熱交換器（51）では、冷媒で加熱された吸着剤から水分が脱離し、この脱離した水分が第２空気に付与される。第１吸着熱交換器（51）で水分を付与された第２空気は、第１排気側ダンパ（47）を通って排気側通路（33）へ流入し、排気口（21）を通って排気ファン室（35）から室外へ排出される。
【０１０１】
次に、除湿換気運転の第２動作（除湿第２動作）について説明する。図１０に示すように、この第２動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第２動作中の冷媒回路（50）では、四方切換弁（54）が第２状態に設定され、第１吸着熱交換器（51）が蒸発器となって第２吸着熱交換器（52）が凝縮器となる。
【０１０２】
外気吸込口（24）から外気側通路（34）へ導入された第１空気は、第１外気側ダンパ（43）を通って第１熱交換器室（37）へ流入し、第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で除湿された第１空気は、第１給気側ダンパ（45）を通って給気側通路（31）へ流入し、給気口（22）を通って給気ファン室（36）から室内へ供給される。
【０１０３】
一方、内気吸込口（23）から内気側通路（32）へ導入された第２空気は、第２内気側ダンパ（42）を通って第２熱交換器室（38）へ流入し、第２吸着熱交換器（52）を通過する。第２吸着熱交換器（52）では、冷媒で加熱された吸着剤から水分が脱離し、この脱離した水分が第２空気に付与される。第２吸着熱交換器（52）で水分を付与された第２空気は、第２排気側ダンパ（48）を通って排気側通路（33）へ流入し、排気口（21）を通って排気ファン室（35）から室外へ排出される。
【０１０４】
なお、ケーシング（11）内では、内気吸込口（23）から導入された室内空気の圧力が、排気ファン（25）に吸い込まれるまでに圧力損失により徐々に低下してゆく。また、外気吸込口（24）から導入された室外空気の圧力が、給気ファン（26）に吸い込まれるまでに圧力損失により徐々に低下してゆく。このため、ケーシング（11）内を流れる空気は、上流側ほど圧力が高くなる。内気側通路（32）及び外気側通路（34）は、各熱交換器室（37,38）よりも圧力が高くなる。このため、上流側仕切板（71）に設けられた４つのダンパ（41〜44）では、閉状態に設定しても、各熱交換器室（37,38）への空気漏れが発生する。
【０１０５】
図９に示すように、除湿換気運転の第１動作中は、閉状態の第２内気側ダンパ（42）では、内気側通路（32）側に室内空気が接触し、第２熱交換器室（38）側に室外空気が接触する。第２内気側ダンパ（42）の両側に存在する内気側通路（32）及び第２熱交換器室（38）では、第２熱交換器室（38）よりも内気側通路（32）の方が圧力が高くなる。このため、例えば夏期に、内気側通路（32）の低温の室内空気が、第２内気側ダンパ（42）の隙間を通って、高湿の第２熱交換器室（38）へ漏れてしまう。
【０１０６】
また、図１０に示すように、除湿換気運転の第２動作中は、閉状態の第１内気側ダンパ（41）では、内気側通路（32）側に室内空気が接触し、第１熱交換器室（37）側に室外空気が接触する。第１内気側ダンパ（41）の両側に存在する内気側通路（32）及び第１熱交換器室（37）では、第１熱交換器室（37）よりも内気側通路（32）の方が圧力が高くなる。このため、例えば夏期に、内気側通路（32）の低温の室内空気が、第１内気側ダンパ（41）の隙間を通って、高湿の第１熱交換器室（37）へ漏れてしまう。
【０１０７】
ここで、内気側ダンパ（41,42）の隙間から漏れた低温の室内空気によって、熱交換器室（37,38）の高湿の室外空気が冷却されて露点温度以下になると、内気側ダンパ（41,42）で結露が生じる。しかし、本実施形態では、室内空気の温度が内気判定値以下になる場合に、電気ヒータ（30）によって内気側ダンパ（41,42）が加熱される。このため、内気側ダンパ（41,42）の温度が上昇するので、室外空気中の水蒸気が内気側ダンパ（41,42）で凝結することが抑制される。
【０１０８】
なお、除湿換気運転の第１動作中は、外気側通路（34）の高湿の室外空気が、閉状態の第１外気側ダンパ（43）の隙間を通って、第１熱交換器室（37）へ漏れてしまう。また、除湿換気運転の第２動作中は、外気側通路（34）の高湿の室外空気が、閉状態の第２外気側ダンパ（44）の隙間を通って、第２熱交換器室（38）へ漏れてしまう。この場合、高湿の室外空気が漏れる熱交換器室（37,38）では、吸着熱交換器（51,52）が凝縮器となっているため、室内空気が加熱されるが、室外空気中の水蒸気が閉状態の外気側ダンパ（43,44）で結露するおそれがある。従って、室内空気の温度が内気判定値以下になる場合に、内気用スイッチ部（120）だけでなく外気用スイッチ部（121）もＯＮにして、閉状態の外気側ダンパ（43,44）で結露が生じることを抑制してもよい。
【０１０９】
〈加湿換気運転〉
加湿換気運転中の換気装置（10）では、後述する第１動作と第２動作が所定の時間間隔（４分間隔）で交互に繰り返される。つまり、加湿換気運転での２つの動作の１回毎の動作時間Δｔは４分に設定されている。この加湿換気運転中において、第１バイパス用ダンパ（83）及び第２バイパス用ダンパ（84）は、常に閉状態となる。
【０１１０】
加湿換気運転中の換気装置（10）では、室外空気が外気吸込口（24）からケーシング（11）内へ第２空気として取り込まれ、室内空気が内気吸込口（23）からケーシング（11）内へ第１空気として取り込まれる。
【０１１１】
先ず、加湿換気運転の第１動作（加湿第１動作）について説明する。図１１に示すように、この第１動作中には、第２内気側ダンパ（42）、第１外気側ダンパ（43）、第１給気側ダンパ（45）、及び第２排気側ダンパ（48）が開状態となり、第１内気側ダンパ（41）、第２外気側ダンパ（44）、第２給気側ダンパ（46）、及び第１排気側ダンパ（47）が閉状態となる。また、この第１動作中の冷媒回路（50）では、四方切換弁（54）が第１状態に設定され、第１吸着熱交換器（51）が凝縮器となって第２吸着熱交換器（52）が蒸発器となる。
【０１１２】
内気吸込口（23）から内気側通路（32）へ導入された第１空気は、第２内気側ダンパ（42）を通って第２熱交換器室（38）へ流入し、第２吸着熱交換器（52）を通過する。第２吸着熱交換器（52）では、第１空気中の水分が吸着剤に吸着され、その際に生じた吸着熱が冷媒に吸熱される。第２吸着熱交換器（52）で水分を奪われた第１空気は、第２排気側ダンパ（48）を通って排気側通路（33）へ流入し、排気口（21）を通って排気ファン室（35）から室外へ排出される。
【０１１３】
一方、外気吸込口（24）から外気側通路（34）へ導入された第２空気は、第１外気側ダンパ（43）を通って第１熱交換器室（37）へ流入し、第１吸着熱交換器（51）を通過する。第１吸着熱交換器（51）では、冷媒で加熱された吸着剤から水分が脱離し、この脱離した水分が第２空気に付与される。第１吸着熱交換器（51）で加湿された第２空気は、第１給気側ダンパ（45）を通って給気側通路（31）へ流入し、給気口（22）を通って給気ファン室（36）から室内へ供給される。
【０１１４】
次に、加湿換気運転の第２動作（加湿第２動作）について説明する。図１２に示すように、この第２動作中には、第１内気側ダンパ（41）、第２外気側ダンパ（44）、第２給気側ダンパ（46）、及び第１排気側ダンパ（47）が開状態となり、第２内気側ダンパ（42）、第１外気側ダンパ（43）、第１給気側ダンパ（45）、及び第２排気側ダンパ（48）が閉状態となる。また、この第２動作中の冷媒回路（50）では、四方切換弁（54）が第２状態に設定され、第１吸着熱交換器（51）が蒸発器となって第２吸着熱交換器（52）が凝縮器となる。
【０１１５】
内気吸込口（23）から内気側通路（32）へ導入された第１空気は、第１内気側ダンパ（41）を通って第１熱交換器室（37）へ流入し、第１吸着熱交換器（51）を通過する。第１吸着熱交換器（51）では、第１空気中の水分が吸着剤に吸着され、その際に生じた吸着熱が冷媒に吸熱される。第１吸着熱交換器（51）で水分を奪われた第１空気は、第１排気側ダンパ（47）を通って排気側通路（33）へ流入し、排気口（21）を通って排気ファン室（35）から室外へ排出される。
【０１１６】
一方、外気吸込口（24）から外気側通路（34）へ導入された第２空気は、第２外気側ダンパ（44）を通って第２熱交換器室（38）へ流入し、第２吸着熱交換器（52）を通過する。第２吸着熱交換器（52）では、冷媒で加熱された吸着剤から水分が脱離し、この脱離した水分が第２空気に付与される。第２吸着熱交換器（52）で加湿された第２空気は、第２給気側ダンパ（46）を通って給気側通路（31）へ流入し、給気口（22）を通って給気ファン室（36）から室内へ供給される。
【０１１７】
図１１に示すように、加湿換気運転の第１動作中は、閉状態の第２外気側ダンパ（44）では、外気側通路（34）側に室外空気が接触し、第２熱交換器室（38）側に室内空気が接触する。第２外気側ダンパ（44）の両側に存在する外気側通路（34）及び第２熱交換器室（38）では、第２熱交換器室（38）よりも外気側通路（34）の方が圧力が高くなる。このため、例えば冬期に、外気側通路（34）の低温の室外空気が、第２外気側ダンパ（44）の隙間を通って高湿の第２熱交換器室（38）へ漏れてしまう。
【０１１８】
また、図１２に示すように、加湿換気運転の第２動作中は、閉状態の第１外気側ダンパ（43）では、外気側通路（34）側に室外空気が接触し、第１熱交換器室（37）側に室内空気が接触する。第１外気側ダンパ（43）の両側に存在する外気側通路（34）及び第１熱交換器室（37）では、第１熱交換器室（37）よりも外気側通路（34）の方が圧力が高くなる。このため、例えば冬期に、外気側通路（34）の低温の室外空気が、第１外気側ダンパ（43）の隙間を通って高湿の第１熱交換器室（37）へ漏れてしまう。
【０１１９】
ここで、外気側ダンパ（43,44）の隙間から漏れた低温の室外空気によって、高湿の室内空気が冷却されて露点温度以下になると、外気側ダンパ（43,44）で結露が生じる。しかし、本実施形態では、室外空気の温度が外気判定値以下になる場合に、電気ヒータ（30）によって外気側ダンパ（43,44）が加熱される。このため、外気側ダンパ（43,44）の温度が上昇するので、室内空気中の水蒸気が外気側ダンパ（43,44）で凝結することが抑制される。
【０１２０】
なお、加湿換気運転の第１動作中は、内気側通路（32）の高湿の室内空気が、閉状態の第１内気側ダンパ（41）の隙間を通って、第１熱交換器室（37）へ漏れてしまう。また、加湿換気運転の第２動作中は、内気側通路（32）の高湿の室内空気が、閉状態の第２内気側ダンパ（42）の隙間を通って、第２熱交換器室（38）へ漏れてしまう。この場合、高湿の室内空気が漏れる熱交換器室（37,38）では、吸着熱交換器（51,52）が凝縮器となっているため、室外空気が加熱されるが、室内空気中の水蒸気が閉状態の内気側ダンパ（41,42）で結露するおそれがある。従って、室外空気の温度が外気判定値以下になる場合に、外気用スイッチ部（121）だけでなく内気用スイッチ部（120）もＯＮにして、閉状態の内気側ダンパ（41,42）で結露が生じることを抑制してもよい。
【０１２１】
〈外気冷房運転〉
外気冷房運転中における換気装置（10）の動作について説明する。なお、空気の流れを示す図面は省略する。
【０１２２】
外気冷房運転中の換気装置（10）では、第１バイパス用ダンパ（83）及び第２バイパス用ダンパ（84）が開状態となり、第１内気側ダンパ（41）、第２内気側ダンパ（42）、第１外気側ダンパ（43）、第２外気側ダンパ（44）、第１給気側ダンパ（45）、第２給気側ダンパ（46）、第１排気側ダンパ（47）、及び第２排気側ダンパ（48）が閉状態となる。また、外気冷房運転中において、冷媒回路（50）の圧縮機（53）は停止状態となる。
【０１２３】
外気冷房運転中の換気装置（10）では、室外空気が外気吸込口（24）からケーシング（11）内へ取り込まれる。外気吸込口（24）を通って外気側通路（34）へ流入した室外空気は、第１バイパス通路（81）から第１バイパス用ダンパ（83）を通って給気ファン室（36）へ流入し、その後に給気口（22）を通って室内へ供給される。
【０１２４】
また、外気冷房運転中の換気装置（10）では、室内空気が内気吸込口（23）からケーシング（11）内へ取り込まれる。内気吸込口（23）を通って内気側通路（32）へ流入した室内空気は、第２バイパス通路（82）から第２バイパス用ダンパ（84）を通って排気ファン室（35）へ流入し、その後に排気口（21）を通って室外へ排出される。
【０１２５】
−実施形態の効果−
本実施形態では、室外空気の温度が外気判定値以下になる場合に、電気ヒータ（30）によって外気側ダンパ（43,44）が加熱される。このため、外気側ダンパ（43,44）の温度が上昇するので、閉状態の外気側ダンパ（43,44）では、空気漏れによって、高湿の室内空気中の水蒸気が低温の室外空気に冷却されて凝結することが抑制される。従って、外気側ダンパ（43,44）で結露が生じることを抑制することができる。
【０１２６】
また、本実施形態では、室内空気の温度が内気判定値以下になる場合に、電気ヒータ（30）によって内気側ダンパ（41,42）が加熱される。このため、内気側ダンパ（41,42）の温度が上昇するので、、閉状態の内気側ダンパ（41,42）では、空気漏れによって、高湿の室外空気中の水蒸気が低温の室内空気に冷却されて凝結することが抑制される。従って、内気側ダンパ（41,42）で結露が生じることを抑制することができる。
【０１２７】
また、本実施形態では、外気側ダンパ（43,44）及び内気側ダンパ（41,42）の各ダンパ（41〜44）において、結露が生じやすい羽根部材（57,58）及び枠状部材（56）に、電気ヒータ（30）がそれぞれ取り付けられている。このため、外気側ダンパ（43,44）及び内気側ダンパ（41,42）では、羽根部材（57,58）及び枠状部材（56）で結露が生じることを抑制することができるので、効果的に結露の発生を抑制することができる。
【０１２８】
また、本実施形態では、外気側ダンパ（43,44）及び内気側ダンパ（41,42）の各ダンパ（41〜44）において、結露が生じやすい軸受部材（62,63,64,65）を二重円筒状に形成して、その内部に設けた軸受用発熱体（116）により軸受部材（62,63,64,65）を加熱することができるようにしている。このため、外気側ダンパ（43,44）及び内気側ダンパ（41,42）では、軸受部材（62,63,64,65）で結露が生じることを抑制することができる。
【０１２９】
また、本実施形態では、電気ヒータ（30）が、ダンパ（41〜44）において駆動モータ（59）が配置されている側に取り付けられている。このため、駆動モータ（59）の配線と電気ヒータ（30）の配線とを同じ空間に配設することができる。
【０１３０】
また、本実施形態では、電気ヒータ（30）が、自己温度制御機能を有するＰＴＣヒータにより構成されている。このため、電気ヒータ（30）の発熱体のキュリー温度を適切に設定すれば、電気ヒータ（30）の温度が必要以上に高くなることがない。従って、上記保護装置を設けることなく、ダンパ（41,42,43,44）で結露が生じることを抑制することができる。特に、本実施形態のように複数の電気ヒータ（30）を用いる場合は、各電気ヒータ（30）にＰＴＣヒータを用いることで、簡素な構造で、ダンパ（41,42,43,44）で結露が生じることを抑制することができる。
【０１３１】
−実施形態の変形例１−
この変形例１では、電気ヒータ（30）の制御が上記実施形態とは異なっている。
【０１３２】
具体的に、制御部（119）は、室内空気の温度から室外空気の温度を引いた値が所定の温度差判定値以上になる場合に、外気用スイッチ部（121）にＯＮ指令を出力する。また、制御部（119）は、室内空気の温度から室外空気の温度を引いた値が温度差判定値よりも小さくなる場合に、外気用スイッチ部（121）にＯＦＦ指令を出力する。この変形例１では、例えば冬期に、室外空気の温度が室内空気の温度に比べて温度差判定値だけ低くなる場合に、外気側ダンパ（43,44）の電気ヒータ（30）に電力が供給される。
【０１３３】
また、制御部（119）は、室外空気の温度から室内空気の温度を引いた値が温度差判定値以上になる場合に、内気用スイッチ部（120）にＯＮ指令を出力する。制御部（119）は、室外空気の温度から室内空気の温度を引いた値が温度差判定値よりも小さくなる場合に、内気用スイッチ部（120）にＯＦＦ指令を出力する。この変形例１では、例えば夏期に、室内空気の温度が室外空気の温度に比べて温度差判定値だけ低くなる場合に、内気側ダンパ（41,42）の電気ヒータ（30）に電力が供給される。
【０１３４】
−実施形態の変形例２−
この変形例２では、電気ヒータ（30）の制御が上記実施形態とは異なっている。
【０１３５】
具体的に、制御部（119）は、室外空気の温度が室内空気の露点温度以下となる場合に、外気用スイッチ部（121）にＯＮ指令を出力する。また、制御部（119）は、室外空気の温度が室内空気の露点温度よりも高くなる場合に、外気用スイッチ部（121）にＯＦＦ指令を出力する。室内空気の露点温度は、内気温度センサ（122）及び内気湿度センサ（123）より検出される。
【０１３６】
また、制御部（119）は、室内空気の温度が室外空気の露点温度以下となる場合に、内気用スイッチ部（120）にＯＮ指令を出力する。また、制御部（119）は、室内空気の温度が室外空気の露点温度よりも高くなる場合に、内気用スイッチ部（120）にＯＦＦ指令を出力する。室外空気の露点温度は、外気温度センサ（124）及び外気湿度センサ（125）より検出される。
【０１３７】
《その他の実施形態》
上記実施形態については、以下のような構成としてもよい。
【０１３８】
上記実施形態について、図１３に示すように、上側羽根部材（57）の本体部（110）の平坦領域の外周部分だけに第１電気ヒータ（30a）を設け、下側羽根部材（58）の本体部（110）の平坦領域の外周部分だけに第２電気ヒータ（30b）を設けてもよい。
【０１３９】
また、上記実施形態では、軸受部材（62〜65）が発熱体（116）及び絶縁層（17）と共に電気ヒータを構成しているが、軸受部材（62〜65）の外面に電気ヒータ（30）を取り付けてもよい。
【０１４０】
また、上記実施形態について、電気ヒータ（30）が、ＰＴＣヒータ以外の電気ヒータ（30）により構成されていてもよい。例えば、電気ヒータ（30）の発熱体（16）には、鉄-クロム-アルミ系発熱体、ニッケル-クロム発熱体等を用いることができる。この場合、電気ヒータ（30）を備えるダンパ（41〜44）には、電気ヒータ（30）の過昇温からダンパ（41,42,43,44）を保護するための保護装置を設ける。保護装置は、電気ヒータ（30）の温度が所定の閾値を超えると電気ヒータ（30）への通電を禁止する温度スイッチにより構成されている。
【０１４１】
また、上記実施形態について、各ダンパ（41〜48）は、羽根部材（57,58）をスライドされて流通口を開閉する形式のダンパであってもよい。
【０１４２】
なお、以下の実施形態は、本質的に好ましい例示であって、本発明、その適用物、あるいはその用途の範囲を制限することを意図するものではない。
【産業上の利用可能性】
【０１４３】
以上説明したように、本発明は、室外空気を室内へ供給して室内空気を室外へ排出する換気装置について有用である。
【符号の説明】
【０１４４】
１０          換気装置
３０          電気ヒータ
４１，４２    内気側ダンパ
４３，４４    外気側ダンパ
５６          枠状部材
５７，５８    羽根部材（可動部材）
６２，６４    上側軸受部材（軸受部材）
６３，６５    下側軸受部材（軸受部材）
【図１】
2010281522.tif 000003
【図２】
2010281522.tif 000004
【図３】
2010281522.tif 000005
【図４】
2010281522.tif 000006
【図５】
2010281522.tif 000007
【図６】
2010281522.tif 000008
【図７】
2010281522.tif 000009
【図８】
2010281522.tif 000010
【図９】
2010281522.tif 000011
【図１０】
2010281522.tif 000012
【図１１】
2010281522.tif 000013
【図１２】
2010281522.tif 000014
【図１３】
2010281522.tif 000015